(57)【要約】      （修正有）【課題】超音波プローブにつけて、使用時にはプローブ先端を露出させ、手指から離れた場合はプローブ先端を落下損傷から保護する超音波プローブ破損防止装置を提供する。【解決手段】超音波プローブ破損防止装置は、保護体１１０、筐体１２０、保護体移動手段１３０を有し、手指による手動ノブ１３３の移動を保護体に伝え非保護状態にして使用に供し、手動ノブを離すと、ノブ復元手段１３５の弾性作用により保護状態になり、超音波プローブの超音波レンズが保護される。【選択図】図１
0003228577.tif 000002
【実用新案登録請求の範囲】
【請求項１】
超音波プローブの先端側にある音響レンズにかぶるように取り付けて使用されるものであって、前記音響レンズを覆っている保護状態から、使用時は、覆いが外れ、前記音響レンズが露出して使用可能状態になるための前記超音波プローブのための保護体と、前記保護体を移動可能に収容し、前記超音波プローブに取り付けるための筐体と、
使用者の手指の動作により、前記保護体を保護状態と非保護状態の間で移動し、前記使用者の前記手指が前記手動ノブから離れた場合は、もとに復元するための保護体移動手段を備えていることを特徴とする超音波プローブ破損防止装置。
【請求項２】
前記保護体移動手段は、前記使用者の前記手指により動かす手動ノブと、前記手動ノブの並進する移動量を前記保護体の移動量に変える手動移動量変換手段と、を備えたことを特徴する請求項１記載の超音波プローブ破損防止装置。
【請求項３】
前記手動移動量変換手段は、前記手動ノブの並進する移動を前記保護体の回転に変えるための、ピストンと、クランクとを備えることで、前記保護体を回転可能にしたことを特徴とする請求項２記載の超音波プローブ破損防止装置。
【請求項４】
前記手動移動量変換手段は、前記手動ノブの並進する移動を前記保護体の並進移動に変えるものであることを特徴とする請求項２記載の超音波プローブ破損防止装置。
【請求項５】
前記保護体は、平板又は棒状の枠体、棒体であることを特徴とする請求項１から請求項４のいずれか１つに記載の超音波プローブ破損防止装置。
【請求項６】
前記筐体又は前記保護体に衝撃吸収のための緩衝体を施したことを特徴とする請求項１から請求項５のいずれか１つに記載の超音波プローブ破損防止装置。
【考案の詳細な説明】
【技術分野】
【０００１】
本考案は、超音波プローブに付設して落下破損を防止するための超音波プローブ破損防止装置に関するものである。
【背景技術】
【０００２】
図６、図７、図８は、従来の超音波プローブ破損防止装置を示す図である。
６−Ａにおいて、特許文献１は、プローブ本体２に備えた、手が離れたことを検出する検出手段の出力で制御手段を通じて、モータ１４を駆動してカム１３を回転し、それによって、押圧部９Ｃを動かし、Ｄ字型の曲面９ｂを下方に動かして、超音波振動子アセンブリ３より下側に移動させ、超音波振動子アセンブリ３が床面等に衝突し、破損することを防止するものであるが、落下衝突前のわずか０．４秒で対応しなければならない難しさがあり、検出からモータ回転、カム移動、押圧部９Ｃの移動を考えると難しいという欠点があり、構成が複雑で、さらに、プローブ本体２の内側にこれらを設置するため、プローブ本体２が大きく、重くなってしまう欠点がある。また、内側に設置のため、プローブに後付けができない不便さがある。
６−Ｂにおいて、特許文献２は、加速度センサ５１により、落下を検出すると、制御器１２がモータ９を駆動して、音響素子２の素子ホルダ３を動かし、音響素子が衝撃を受けない位置で停止するものである。特許文献１と同じく、これも、落下を検出してからの対応までの時間がかかるので、難しい欠点や、プローブが大きく、重くなる欠点、後付けできない欠点がある。
７−Ａにおいて、特許文献３は、電磁モータ６の入力端子を短絡する手段を設けたことで、電磁モータ６の回転を止める作用をさせる。落下時に回転があるとトランスデューサ２に大きな衝撃が加わるので、これを回避する。これは、それなりの効果は見込めそうだが、外部からの衝撃が伝わる損傷は回避できない。
７−Ｂにおいて、特許文献４は、超音波振動子を揺動可能に支持し、長手方向にスライド可能なベースをバネで保持、衝撃をバネで吸収する。仕掛けは簡単だが、衝撃吸収の精度が上がらないと思われる。
８−Ａにおいて、特許文献５は、トランスデューサが電磁モータに直接ついているので、落下時に電磁モータが回転したままだと、大きな衝撃が加わるので、電磁モータの回転を止めるブレーキ機構を有するものである。ブレーキ機構の内蔵によりプローブが大きくなることや、後付けができない不都合がある。
８−Ｂにおいて、特許文献６は、落下による衝撃耐性を持たせる手段として、バッキングプレート上に圧電素子を集積する場合に、保護層で覆った構成である。保護層は、ダイアモンドライクカーボンが使用されている。この構成では、圧電素子と保護層を集積するために、いわゆる半導体微細加工の技術を要するので、極めて、高価なものとなる。さらに、十分な落下耐性は得られない恐れがある。
８−Ｃにおいて、特許文献７は、音響レンズをカバーする保護カバーを付けたものであるが、使用時には邪魔になる不都合がある。
【先行技術文献】
【特許文献】
【０００３】
【特許文献１】特許第５２３２９２６号
【特許文献２】特許第４７１８３３１号
【特許文献３】特開２０１０−２６９０７９
【特許文献４】特開２００６−６４８５
【特許文献５】特許第３４９０３９１号
【特許文献６】特開２０１５−１７７５３７号
【特許文献７】特開２００９−３４２１２号
【考案の概要】
【考案が解決しようとする課題】
【０００４】
本願の課題は、超音波プローブにつけて使用した場合に、プローブ先端を落下損傷から保護する装置を提供することである。
【課題を解決するための手段】
【０００５】
以下請求項に沿い記述する。
請求項１記載の考案は、超音波プローブ破損防止装置であって、
超音波プローブの先端側にある音響レンズ側にかぶるように取り付けて使用されるものであって、前記音響レンズを覆っている保護状態から、使用時は、覆いが外れ、前記音響レンズが露出して使用可能状態になるための前記超音波プローブのための保護体と、前記保護体を移動可能に収容し、前記超音波プローブに取り付けるための筐体と、
使用者の手指の動作により、前記保護体を保護状態と非保護状態の間で移動し、前記使用者の前記手指が前記手動ノブから離れた場合は、もとに復元するための保護体移動手段を備えていることを特徴とする。
【０００６】
請求項２記載の考案は、請求項１記載の超音波プローブ破損防止装置において、
前記保護体移動手段は、前記使用者の前記手指により動かす手動ノブと、前記手動ノブの並進する移動量を前記保護体の移動量に変える手動移動量変換手段と、を備えたことを特徴する。
【０００７】
請求項３記載の考案は、請求項２記載の超音波プローブ破損防止装置において、
前記手動移動量変換手段は、前記手動ノブの並進する移動を前記保護体の回転に変えるための、ピストンと、クランクとを備えることで、前記保護体を回転可能にしたことを特徴とする。
【０００８】
請求項４記載の考案は、請求項２記載の超音波プローブ破損防止装置において、
前記手動移動量変換手段は、前記手動ノブの並進する移動を前記保護体の並進移動に変えるものであることを特徴とする。
【０００９】
請求項５記載の考案は、請求項１から請求項４のいずれか１つに記載の超音波プローブ破損防止装置において、前記保護体は、平板又は棒状の枠体、棒体であることを特徴とする。
【００１０】
請求項６記載の考案は、請求項１から請求項５のいずれか１つに記載の超音波プローブ破損防止装置において、前記筐体又は前記保護体に衝撃吸収のための緩衝体を施したことを特徴とする。
【考案の効果】
【００１１】
以上の様に構成されているので、本考案による超音波プローブ破損防止装置は、超音波プローブにつけて使用すると、使用時には、プローブ先端を露出して使用に供し、手指から離れた場合は、プローブ先端を落下損傷から保護する。
【図面の簡単な説明】
【００１２】
【図１】本考案にかかる超音波プローブ破損防止装置の一実施態様を示す図である。
【図２】本考案にかかる超音波プローブ破損防止装置に適用した場合の手動ノブの位置の態様を示す図である。
【図３】本考案にかかる超音波プローブ破損防止装置に使用できる保護体移動手段の態様を示す図である。
【図４】３−Ｂの保護体移動手段を用いた場合の本考案にかかる超音波プローブ破損防止装置の一実施態様を示す図である。
【図５】本考案にかかる超音波プローブ破損防止装置の他の実施態様を示す図である。
【図６】従来の超音波プローブ破損防止装置を示す図である。
【図７】従来の超音波プローブ破損防止装置を示す図である。
【図８】従来の超音波プローブ破損防止装置を示す図である。
【考案を実施するための形態】
【００１３】
図１は、超音波プローブ破損防止装置の一実施態様を示す図である。
超音波プローブは、１−Ｂのような形態をしていて、先端に音響レンズを含み、うっかりなどの落下により、床等に先端がぶつかると、超音波センサが衝撃で破損する。本考案による超音波プローブ破損防止装置は、超音波プローブの先端側にかぶせて使用するもので、手から離れて単独で超音波プローブがある場合は、超音波プローブ破損防止装置の保護体が音響レンズの前に突出して、他への接触が不可能な状態であり、使用時に手で超音波プローブを握り、指等で、ボタンを押す又は引く等の移動した状態では、超音波プローブ破損防止装置の保護体が音響レンズの保護状態から外れて、音響レンズは、患者の皮膚等への接触検査が可能になるものである。
【００１４】
１−Ａ−１は、本考案による超音波プローブ破損防止装置１００である。これを説明する。
超音波プローブ破損防止装置１００は超音波プローブの先端側にある音響レンズにかぶせて保護し、使用時は、保護状態から外れるための保護体１１０と、保護体１１０を可動可能に収容した筐体１２０と、使用者の手指の動作により、保護体１１０を非保護状態と保護状態の間で移動するための保護体移動手段１３０を備えている。保護体１１０、筐体１２０、保護体移動手段１３０の態様により、図１から他の図までいろいろの実施態様が考えられる。
超音波プローブ破損防止装置１００を１−Ｂの超音波プローブ１４０に、１−Ｃのように被せて使用に供される場合に、筐体１２０は、超音波プローブ１４０に固定されるものである。
【００１５】
１−Ａ−２の態様において、保護体移動手段１３０は、筐体１２０に固定され動かないスライド枠１３１と、スライド枠１３１に摺動可能にはまっているスライド棒１３２と、使用者の手指により動かす手動ノブ１３３と、手動ノブ１３３の移動変移をスライド棒１３２の移動量に変換する手動移動量変換手段１３４と、使用者の手指が離れた場合に、手動ノブ１３３が復元するノブ復元手段１３５と、同時に、スライド棒１３２が元の状態に復元するスライド棒復元手段１３６を備えている。ここで、スライド棒１３２の棒の意味は、形状、長さは任意であり、断面は、円形、多角形等可能である。ノブ復元手段１３５、スライド棒復元手段１３６の復元手段として、図ではバネを示しているが、これも復元弾性があれば、バネにかかわらず任意である。
手動移動量変換手段１３４は、この態様では、スライド方向に溝幅の異なる断面変移溝１３４Ａがスライド棒１３２に備えられ、手動ノブ１３３は、この断面変移溝１３４Ａに嵌る尖った（異径の）先端である異径先端１３４Ｂを有している。手動ノブ１３３を動かして、異径先端１３４Ｂが動くと、径が変わるため、それに押されて溝径が合う状態の断面変移溝１３４Ａの位置となり、スライド棒１３２が動く。手動ノブ１３３を離すと、ノブ復元手段１３５、スライド棒復元手段１３６により、手動ノブ１３３とスライド棒１３２はもとに戻る。
スライド棒１３２は、保護体１１０に接続しているため、両者は同じ動きをする。
スライド棒１３２、従って保護体１１０が前側に出ているときは、超音波プローブ１４０の音響レンズは、保護体１１０の中にあって、外部との接触から保護され、逆に、保護体１１０が後側に凹んでいるときは、超音波プローブ１４０の音響レンズは、保護体１１０の外にあって、診断の使用に供される。
尚、保護体１１０や、筐体１２０に衝撃を緩和する衝撃緩衝体を施すと破損回避に寄与するので好都合である。
また、保護体１１０は、この図では、箱型に構成しているが、接触を防止する目的なので、四角枠、片、ピン形状などの任意の形状が取れる。
【００１６】
図１では、１−Ｃ、図２の２−Ａのように、超音波プローブ破損防止装置１００を超音波プローブ１４０に付設したときに、手動ノブ１３３が、超音波プローブ１４０の広い面側にあった例であり、形状対応をおこなえば、図２の２−Ｂのように、手動ノブ１３３を超音波プローブ１４０の狭い側面に備えることができる。
【００１７】
図３は、本考案の超音波プローブ破損防止装置１００に使用できる保護体移動手段１３０の態様を示す。
図１の保護体移動手段１３０では、手動ノブ１３３の移動方向とスライド棒１３２の移動方向が直角であった。この場合が、使いやすいので好都合である。移動方向を直角にする手段として、３−Ａでは、変曲したバネを利用する例である。ばねは、手動ノブ１３３で図のように曲がった突部を押すと、両端が広がるように移動するので、一方の端に対して他端が移動することができる。他端の方に、保護体１１０を付けた構成になる。手動移動量変換手段１３４を含んだ構成がバネで可能となる。
３−Ｂでは、これも、移動が直角方向の例である。手動移動量変換手段１３４は、横方向スライド棒１３２Ａと縦方向スライド棒１３２Ｂが、各々、横方向スライド枠１３１Ａ、縦方向スライド枠１３１Ｂに移動可能に嵌り、その間は滑車Ａ３１０を介して繋がっていて、スライド棒復元手段１３６Ａ、１３６Ｂも各々備えているので、横方向スライド棒１３２Ａを手動ノブ１３３で右側におせば、縦方向スライド棒１３２Ｂが上昇する方向になり、手動ノブ１３３を離せば、元に戻ることになる。縦方向スライド棒１３２Ｂの先端には、保護体１１０が付くことになる。
【００１８】
３−Ｂでは、移動方向を直角方向にする手段として滑車Ａ３１０を用いたが、３−Ｃでは、横方向スライド棒１３２Ａと縦方向スライド棒１３２Ｂは、ラック３２０Ａ、３２０Ｂを備え、その間を二つのピニオン３３０で繋いだ構成をしている。ノブ復元手段１３５により復元がなされる。縦方向スライド棒１３２Ｂの先端側に保護体１１０が付くことになる。
【００１９】
３−Ｄでは、手動ノブ１３３の移動方向とスライド棒１３２の移動方向が直角なもので、
手動ノブ１３３の動きは、クランク３５０を介して、スライド棒１３２に伝わる。
手動ノブ１３３が移動した場合の状態も右側に示す。スライド棒１３２の先端には、保護体１１０が付くことになる。
【００２０】
３−Ｅでは、手動ノブ１３３の移動方向とスライド棒１３２の移動方向が平行なもので、
手動ノブ１３３の移動方向とスライド棒１３２間は、二個の滑車Ａ３１０のワイヤ３４０につないである。元論、ノブ復元手段１３５を備えている。
そのため、手動ノブ１３３を下側にうごかすと、滑車Ａ３１０の左側のワイヤは下方向に引かれ、滑車Ａ３１０は左回転をするので、右側のワイヤとスライド棒１３２との接続点は上昇し、スライド棒１３２は上昇する。手動ノブ１３３を離せば、ノブ復元手段１３５により復元する。
他の例でも必要であるが、この図だけに各手段を固定するための固定基板３６０が書いてある。スライド棒１３２の先端には、保護体１１０が付くことになる。
【００２１】
３−Ｆでは、手動ノブ１３３の移動方向とスライド棒１３２の移動方向が平行なもので、
手動ノブ１３３とスライド棒１３２の各々には、ラック３２０があり、その間を１個のピニオン３３０で接続することで、手動ノブ１３３の移動方向とスライド棒１３２が、平行で逆方向に動くようにしてある。スライド棒１３２の先端には、保護体１１０が付くことになる。ノブ復元手段１３５とスライド棒復元手段１３６も備えている。
【００２２】
図４は、３−Ｂの保護体移動手段１３０を用いた場合の超音波プローブ破損防止装置の一実施態様を示す図である。他の保護体移動手段１３０でも同様に構成できる。
４−Ａでは、超音波プローブ破損防止装置１００の立面図と下から見た場合の平面図を示す。３−Ｂの保護体移動手段１３０は、既に説明したものである。固定基板３６０についた状態で、筐体１２０に取り付けられ、保護体移動手段１３０の縦方向スライド棒１３２Ｂには、保護体１１０が取り付けてある。手動ノブ１３３を押すと縦方向スライド棒１３２Ｂが上昇、保護体１１０が上昇する。手動ノブ１３３を離せば元に戻る。ここでは、保護体１１０の形状として枠形状を示している。このように箱形状にこだわらずいろいろの形状が可能である。
下から見た図では、保護体移動手段１３０があり、そばに、超音波プローブ１４０が入る収納空間がある。超音波プローブ１４０と筐体１２０間は、ネジ他の固定手段で固定する。
４−Ｂでは、保護体１１０の左右の端での上下移動を均等にするため、右側に補助の縦方向スライド棒１３２Ｂと縦方向スライド枠１３１Ｂを備えている例である。
４−Ｃでは、右側の縦方向スライド棒１３２Ｂに接続片４１０を介して、ワイヤに接続し、ワイヤの一端は、固定基板３６０にバネ等の伸縮体４２０を介して固定し、ワイヤの他端は、滑車Ｂ４３０を介して、横方向スライド棒１３２Ａに接続してあるので、手動ノブ１３３の移動変移は、左側と右側の両方の縦方向スライド棒１３２Ｂに伝わるように構成してある。尚、保護体１１０の先端には、衝撃緩衝体４４０を備えると好都合である。
【００２３】
図５は、超音波プローブ破損防止装置の他の実施態様を示す図である。５−Ａにおいて、
前述の例では、保護体１１０は、並進移動で前後に動くものであったが、図５の例は、回転移動で動くものである。保護体移動手段１３０は、手動ノブ１３３とそれとともに直線移動するピストン５１１と、クランク５１２により回転移動するディスク５１３、ディスク５１３についた保護体１１０を備えている。ディスク５１３は、必ずしも円盤形状でなくともよく自転車のペダル軸片のように支軸の周りに回転するものであればよい。
手動ノブ１３３を離すと、ノブ復元手段１３５により復元する。
５−Ｂには、超音波プローブ破損防止装置１００の保護体移動手段１３０のみでなく、筐体１２０も示している。この図では、保護体１１０が筐体１２０に先端全体にわたり存在していることも示している。５−Ｃでは、超音波プローブ１４０に超音波プローブ破損防止装置１００が取り付いた状態を示している。手動ノブ１３３が押されてない状態では、保護体１１０が、超音波プローブ１４０の先端を覆い隠す位置にあるが、手動ノブ１３３が押された状態では、ディスク５１３が回転して、保護体１１０が超音波プローブ１４０の先端が露出する位置にある。手動ノブ１３３を離せば、元に復帰する。
【産業上の利用可能性】
【００２４】
以上のように本考案にかかる超音波プローブ破損防止装置は、超音波プローブから手指が離れた状態では、超音波プローブの先端を覆い保護するため、超音波プローブの落下損傷防止をするので、産業上利用して極めて好都合である。
【００２５】
１００  超音波プローブ破損防止装置
１１０  保護体
１２０  筐体
１３０  保護体移動手段
１３１  スライド枠
１３１Ａ  横方向スライド枠
１３１Ｂ  縦方向スライド枠
１３２  スライド棒
１３２Ａ  横方向スライド棒
１３２Ｂ  縦方向スライド棒
１３３  手動ノブ
１３４  手動移動量変換手段
１３４Ａ  断面変移溝
１３４Ｂ  異径先端
１３５  ノブ復元手段
１３６、１３６Ａ、１３６Ｂ  スライド棒復元手段
１４０  超音波プローブ
３１０  滑車Ａ
３２０、３２０Ａ、３２０Ｂ  ラック
３３０  ピニオン
３４０  ワイヤ
３５０  クランク
３６０  固定基板
４１０  接続片
４２０  伸縮体
４３０  滑車Ｂ
５１１  ピストン
５１２  クランク
５１３  ディスク
【図１】
0003228577.tif 000003
【図２】
0003228577.tif 000004
【図３】
0003228577.tif 000005
【図４】
0003228577.tif 000006
【図５】
0003228577.tif 000007
【図６】
0003228577.tif 000008
【図７】
0003228577.tif 000009
【図８】
0003228577.tif 000010
【手続補正書】
【提出日】令和2年7月30日(2020.7.30)
【手続補正１】
【補正対象書類名】実用新案登録請求の範囲
【補正対象項目名】全文
【補正方法】変更
【補正の内容】
【実用新案登録請求の範囲】
【請求項１】
超音波プローブの先端側にある音響レンズにかぶるように取り付けて使用されるものであって、前記音響レンズを覆っている保護状態から、使用時は、覆いが外れ、前記音響レンズが露出して使用可能状態になるための前記超音波プローブのための保護体と、前記保護体を移動可能に収容し、前記超音波プローブに取り付けるための筐体と、
使用者の手指の動作により、前記保護体を保護状態と非保護状態の間で移動し、前記使用者の前記手指が手動ノブから離れた場合は、もとに復元するための保護体移動手段を備えていることを特徴とする超音波プローブ破損防止装置。
【請求項２】
前記保護体移動手段は、前記使用者の前記手指により動かす前記手動ノブと、前記手動ノブの並進する移動量を前記保護体の移動量に変える手動移動量変換手段と、を備えたことを特徴する請求項１記載の超音波プローブ破損防止装置。
【請求項３】
前記手動移動量変換手段は、前記手動ノブの並進する移動を前記保護体の回転に変えるための、ピストンと、クランクとを備えることで、前記保護体を回転可能にしたことを特徴とする請求項２記載の超音波プローブ破損防止装置。
【請求項４】
前記手動移動量変換手段は、前記手動ノブの並進する移動を前記保護体の並進移動に変えるものであることを特徴とする請求項２記載の超音波プローブ破損防止装置。
【請求項５】
前記保護体は、平板又は棒状の枠体、棒体であることを特徴とする請求項１から請求項４のいずれか１つに記載の超音波プローブ破損防止装置。
【請求項６】
前記筐体又は前記保護体に衝撃吸収のための緩衝体を施したことを特徴とする請求項１から請求項５のいずれか１つに記載の超音波プローブ破損防止装置。
【手続補正２】
【補正対象書類名】明細書
【補正対象項目名】全文
【補正方法】変更
【補正の内容】
【考案の詳細な説明】
【技術分野】
【０００１】
本考案は、超音波プローブに付設して落下破損を防止するための超音波プローブ破損防止装置に関するものである。
【背景技術】
【０００２】
図６、図７、図８は、従来の超音波プローブ破損防止装置を示す図である。
６−Ａにおいて、特許文献１は、プローブ本体２に備えた、手が離れたことを検出する検出手段の出力で制御手段を通じて、モータ１４を駆動してカム１３を回転し、それによって、押圧部９Ｃを動かし、Ｄ字型の曲面９ｂを下方に動かして、超音波振動子アセンブリ３より下側に移動させ、超音波振動子アセンブリ３が床面等に衝突し、破損することを防止するものであるが、落下衝突前のわずか０．４秒で対応しなければならない難しさがあり、検出からモータ回転、カム移動、押圧部９Ｃの移動を考えると難しいという欠点があり、構成が複雑で、さらに、プローブ本体２の内側にこれらを設置するため、プローブ本体２が大きく、重くなってしまう欠点がある。また、内側に設置のため、プローブに後付けができない不便さがある。
６−Ｂにおいて、特許文献２は、加速度センサ５１により、落下を検出すると、制御器１２がモータ９を駆動して、音響素子２の素子ホルダ３を動かし、音響素子が衝撃を受けない位置で停止するものである。特許文献１と同じく、これも、落下を検出してからの対応までの時間がかかるので、難しい欠点や、プローブが大きく、重くなる欠点、後付けできない欠点がある。
７−Ａにおいて、特許文献３は、電磁モータ６の入力端子を短絡する手段を設けたことで、電磁モータ６の回転を止める作用をさせる。落下時に回転があるとトランスデューサ２に大きな衝撃が加わるので、これを回避する。これは、それなりの効果は見込めそうだが、外部からの衝撃が伝わる損傷は回避できない。
７−Ｂにおいて、特許文献４は、超音波振動子を揺動可能に支持し、長手方向にスライド可能なベースをバネで保持、衝撃をバネで吸収する。仕掛けは簡単だが、衝撃吸収の精度が上がらないと思われる。
８−Ａにおいて、特許文献５は、トランスデューサが電磁モータに直接ついているので、落下時に電磁モータが回転したままだと、大きな衝撃が加わるので、電磁モータの回転を止めるブレーキ機構を有するものである。ブレーキ機構の内蔵によりプローブが大きくなることや、後付けができない不都合がある。
８−Ｂにおいて、特許文献６は、落下による衝撃耐性を持たせる手段として、バッキングプレート上に圧電素子を集積する場合に、保護層で覆った構成である。保護層は、ダイアモンドライクカーボンが使用されている。この構成では、圧電素子と保護層を集積するために、いわゆる半導体微細加工の技術を要するので、極めて、高価なものとなる。さらに、十分な落下耐性は得られない恐れがある。
８−Ｃにおいて、特許文献７は、音響レンズをカバーする保護カバーを付けたものであるが、使用時には邪魔になる不都合がある。
【先行技術文献】
【特許文献】
【０００３】
【特許文献１】特許第５２３２９２６号
【特許文献２】特許第４７１８３３１号
【特許文献３】特開２０１０−２６９０７９
【特許文献４】特開２００６−６４８５
【特許文献５】特許第３４９０３９１号
【特許文献６】特開２０１５−１７７５３７号
【特許文献７】特開２００９−３４２１２号
【考案の概要】
【考案が解決しようとする課題】
【０００４】
本願の課題は、超音波プローブにつけて使用した場合に、プローブ先端を落下損傷から保護する装置を提供することである。
【課題を解決するための手段】
【０００５】
以下請求項に沿い記述する。
請求項１記載の考案は、超音波プローブ破損防止装置であって、
超音波プローブの先端側にある音響レンズ側にかぶるように取り付けて使用されるものであって、前記音響レンズを覆っている保護状態から、使用時は、覆いが外れ、前記音響レンズが露出して使用可能状態になるための前記超音波プローブのための保護体と、前記保護体を移動可能に収容し、前記超音波プローブに取り付けるための筐体と、
使用者の手指の動作により、前記保護体を保護状態と非保護状態の間で移動し、前記使用者の前記手指が手動ノブから離れた場合は、もとに復元するための保護体移動手段を備えていることを特徴とする。
【０００６】
請求項２記載の考案は、請求項１記載の超音波プローブ破損防止装置において、
前記保護体移動手段は、前記使用者の前記手指により動かす前記手動ノブと、前記手動ノブの並進する移動量を前記保護体の移動量に変える手動移動量変換手段と、を備えたことを特徴する。
【０００７】
請求項３記載の考案は、請求項２記載の超音波プローブ破損防止装置において、
前記手動移動量変換手段は、前記手動ノブの並進する移動を前記保護体の回転に変えるための、ピストンと、クランクとを備えることで、前記保護体を回転可能にしたことを特徴とする。
【０００８】
請求項４記載の考案は、請求項２記載の超音波プローブ破損防止装置において、
前記手動移動量変換手段は、前記手動ノブの並進する移動を前記保護体の並進移動に変えるものであることを特徴とする。
【０００９】
請求項５記載の考案は、請求項１から請求項４のいずれか１つに記載の超音波プローブ破損防止装置において、前記保護体は、平板又は棒状の枠体、棒体であることを特徴とする。
【００１０】
請求項６記載の考案は、請求項１から請求項５のいずれか１つに記載の超音波プローブ破損防止装置において、前記筐体又は前記保護体に衝撃吸収のための緩衝体を施したことを特徴とする。
【考案の効果】
【００１１】
以上の様に構成されているので、本考案による超音波プローブ破損防止装置は、超音波プローブにつけて使用すると、使用時には、プローブ先端を露出して使用に供し、手指から離れた場合は、プローブ先端を落下損傷から保護する。
【図面の簡単な説明】
【００１２】
【図１】本考案にかかる超音波プローブ破損防止装置の一実施態様を示す図である。
【図２】本考案にかかる超音波プローブ破損防止装置に適用した場合の手動ノブの位置の態様を示す図である。
【図３】本考案にかかる超音波プローブ破損防止装置に使用できる保護体移動手段の態様を示す図である。
【図４】３−Ｂの保護体移動手段を用いた場合の本考案にかかる超音波プローブ破損防止装置の一実施態様を示す図である。
【図５】本考案にかかる超音波プローブ破損防止装置の他の実施態様を示す図である。
【図６】従来の超音波プローブ破損防止装置を示す図である。
【図７】従来の超音波プローブ破損防止装置を示す図である。
【図８】従来の超音波プローブ破損防止装置を示す図である。
【考案を実施するための形態】
【００１３】
図１は、超音波プローブ破損防止装置の一実施態様を示す図である。
超音波プローブは、１−Ｂのような形態をしていて、先端に音響レンズを含み、うっかりなどの落下により、床等に先端がぶつかると、超音波センサが衝撃で破損する。本考案による超音波プローブ破損防止装置は、超音波プローブの先端側にかぶせて使用するもので、手から離れて単独で超音波プローブがある場合は、超音波プローブ破損防止装置の保護体が音響レンズの前に突出して、他への接触が不可能な状態であり、使用時に手で超音波プローブを握り、指等で、ボタンを押す又は引く等の移動した状態では、超音波プローブ破損防止装置の保護体が音響レンズの保護状態から外れて、音響レンズは、患者の皮膚等への接触検査が可能になるものである。
【００１４】
１−Ａ−１は、本考案による超音波プローブ破損防止装置１００である。これを説明する。
超音波プローブ破損防止装置１００は超音波プローブの先端側にある音響レンズにかぶせて保護し、使用時は、保護状態から外れるための保護体１１０と、保護体１１０を可動可能に収容した筐体１２０と、使用者の手指の動作により、保護体１１０を非保護状態と保護状態の間で移動するための保護体移動手段１３０を備えている。保護体１１０、筐体１２０、保護体移動手段１３０の態様により、図１から他の図までいろいろの実施態様が考えられる。
超音波プローブ破損防止装置１００を１−Ｂの超音波プローブ１４０に、１−Ｃのように被せて使用に供される場合に、筐体１２０は、超音波プローブ１４０に固定されるものである。
【００１５】
１−Ａ−２の態様において、保護体移動手段１３０は、筐体１２０に固定され動かないスライド枠１３１と、スライド枠１３１に摺動可能にはまっているスライド棒１３２と、使用者の手指により動かす手動ノブ１３３と、手動ノブ１３３の移動変移をスライド棒１３２の移動量に変換する手動移動量変換手段１３４と、使用者の手指が離れた場合に、手動ノブ１３３が復元するノブ復元手段１３５と、同時に、スライド棒１３２が元の状態に復元するスライド棒復元手段１３６を備えている。ここで、スライド棒１３２の棒の意味は、形状、長さは任意であり、断面は、円形、多角形等可能である。ノブ復元手段１３５、スライド棒復元手段１３６の復元手段として、図ではバネを示しているが、これも復元弾性があれば、バネにかかわらず任意である。
手動移動量変換手段１３４は、この態様では、スライド方向に溝幅の異なる断面変移溝１３４Ａがスライド棒１３２に備えられ、手動ノブ１３３は、この断面変移溝１３４Ａに嵌る尖った（異径の）先端である異径先端１３４Ｂを有している。手動ノブ１３３を動かして、異径先端１３４Ｂが動くと、径が変わるため、それに押されて溝径が合う状態の断面変移溝１３４Ａの位置となり、スライド棒１３２が動く。手動ノブ１３３を離すと、ノブ復元手段１３５、スライド棒復元手段１３６により、手動ノブ１３３とスライド棒１３２はもとに戻る。
スライド棒１３２は、保護体１１０に接続しているため、両者は同じ動きをする。
スライド棒１３２、従って保護体１１０が前側に出ているときは、超音波プローブ１４０の音響レンズは、保護体１１０の中にあって、外部との接触から保護され、逆に、保護体１１０が後側に凹んでいるときは、超音波プローブ１４０の音響レンズは、保護体１１０の外にあって、診断の使用に供される。
尚、保護体１１０や、筐体１２０に衝撃を緩和する衝撃緩衝体を施すと破損回避に寄与するので好都合である。
また、保護体１１０は、この図では、箱型に構成しているが、接触を防止する目的なので、四角枠、片、ピン形状などの任意の形状が取れる。
【００１６】
図１では、１−Ｃ、図２の２−Ａのように、超音波プローブ破損防止装置１００を超音波プローブ１４０に付設したときに、手動ノブ１３３が、超音波プローブ１４０の広い面側にあった例であり、形状対応をおこなえば、図２の２−Ｂのように、手動ノブ１３３を超音波プローブ１４０の狭い側面に備えることができる。
【００１７】
図３は、本考案の超音波プローブ破損防止装置１００に使用できる保護体移動手段１３０の態様を示す。
図１の保護体移動手段１３０では、手動ノブ１３３の移動方向とスライド棒１３２の移動方向が直角であった。この場合が、使いやすいので好都合である。移動方向を直角にする手段として、３−Ａでは、変曲したバネを利用する例である。ばねは、手動ノブ１３３で図のように曲がった突部を押すと、両端が広がるように移動するので、一方の端に対して他端が移動することができる。他端の方に、保護体１１０を付けた構成になる。手動移動量変換手段１３４を含んだ構成がバネで可能となる。
３−Ｂでは、これも、移動が直角方向の例である。手動移動量変換手段１３４は、横方向スライド棒１３２Ａと縦方向スライド棒１３２Ｂが、各々、横方向スライド枠１３１Ａ、縦方向スライド枠１３１Ｂに移動可能に嵌り、その間は滑車Ａ３１０を介して繋がっていて、スライド棒復元手段１３６Ａ、１３６Ｂも各々備えているので、横方向スライド棒１３２Ａを手動ノブ１３３で右側におせば、縦方向スライド棒１３２Ｂが上昇する方向になり、手動ノブ１３３を離せば、元に戻ることになる。縦方向スライド棒１３２Ｂの先端には、保護体１１０が付くことになる。
【００１８】
３−Ｂでは、移動方向を直角方向にする手段として滑車Ａ３１０を用いたが、３−Ｃでは、横方向スライド棒１３２Ａと縦方向スライド棒１３２Ｂは、ラック３２０Ａ、３２０Ｂを備え、その間を二つのピニオン３３０で繋いだ構成をしている。ノブ復元手段１３５により復元がなされる。縦方向スライド棒１３２Ｂの先端側に保護体１１０が付くことになる。
【００１９】
３−Ｄでは、手動ノブ１３３の移動方向とスライド棒１３２の移動方向が直角なもので、
手動ノブ１３３の動きは、クランク３５０を介して、スライド棒１３２に伝わる。
手動ノブ１３３が移動した場合の状態も右側に示す。スライド棒１３２の先端には、保護体１１０が付くことになる。
【００２０】
３−Ｅでは、手動ノブ１３３の移動方向とスライド棒１３２の移動方向が平行なもので、
手動ノブ１３３の移動方向とスライド棒１３２間は、二個の滑車Ａ３１０のワイヤ３４０につないである。元論、ノブ復元手段１３５を備えている。
そのため、手動ノブ１３３を下側にうごかすと、滑車Ａ３１０の左側のワイヤは下方向に引かれ、滑車Ａ３１０は左回転をするので、右側のワイヤとスライド棒１３２との接続点は上昇し、スライド棒１３２は上昇する。手動ノブ１３３を離せば、ノブ復元手段１３５により復元する。
他の例でも必要であるが、この図だけに各手段を固定するための固定基板３６０が書いてある。スライド棒１３２の先端には、保護体１１０が付くことになる。
【００２１】
３−Ｆでは、手動ノブ１３３の移動方向とスライド棒１３２の移動方向が平行なもので、
手動ノブ１３３とスライド棒１３２の各々には、ラック３２０があり、その間を１個のピニオン３３０で接続することで、手動ノブ１３３の移動方向とスライド棒１３２が、平行で逆方向に動くようにしてある。スライド棒１３２の先端には、保護体１１０が付くことになる。ノブ復元手段１３５とスライド棒復元手段１３６も備えている。
【００２２】
図４は、３−Ｂの保護体移動手段１３０を用いた場合の超音波プローブ破損防止装置の一実施態様を示す図である。他の保護体移動手段１３０でも同様に構成できる。
４−Ａでは、超音波プローブ破損防止装置１００の立面図と下から見た場合の平面図を示す。３−Ｂの保護体移動手段１３０は、既に説明したものである。固定基板３６０についた状態で、筐体１２０に取り付けられ、保護体移動手段１３０の縦方向スライド棒１３２Ｂには、保護体１１０が取り付けてある。手動ノブ１３３を押すと縦方向スライド棒１３２Ｂが上昇、保護体１１０が上昇する。手動ノブ１３３を離せば元に戻る。ここでは、保護体１１０の形状として枠形状を示している。このように箱形状にこだわらずいろいろの形状が可能である。
下から見た図では、保護体移動手段１３０があり、そばに、超音波プローブ１４０が入る収納空間がある。超音波プローブ１４０と筐体１２０間は、ネジ他の固定手段で固定する。
４−Ｂでは、保護体１１０の左右の端での上下移動を均等にするため、右側に補助の縦方向スライド棒１３２Ｂと縦方向スライド枠１３１Ｂを備えている例である。
４−Ｃでは、右側の縦方向スライド棒１３２Ｂに接続片４１０を介して、ワイヤに接続し、ワイヤの一端は、固定基板３６０にバネ等の伸縮体４２０を介して固定し、ワイヤの他端は、滑車Ｂ４３０を介して、横方向スライド棒１３２Ａに接続してあるので、手動ノブ１３３の移動変移は、左側と右側の両方の縦方向スライド棒１３２Ｂに伝わるように構成してある。尚、保護体１１０の先端には、衝撃緩衝体４４０を備えると好都合である。
【００２３】
図５は、超音波プローブ破損防止装置の他の実施態様を示す図である。５−Ａにおいて、
前述の例では、保護体１１０は、並進移動で前後に動くものであったが、図５の例は、回転移動で動くものである。保護体移動手段１３０は、手動ノブ１３３とそれとともに直線移動するピストン５１１と、クランク５１２により回転移動するディスク５１３、ディスク５１３についた保護体１１０を備えている。ディスク５１３は、必ずしも円盤形状でなくともよく自転車のペダル軸片のように支軸の周りに回転するものであればよい。
手動ノブ１３３を離すと、ノブ復元手段１３５により復元する。
５−Ｂには、超音波プローブ破損防止装置１００の保護体移動手段１３０のみでなく、筐体１２０も示している。この図では、保護体１１０が筐体１２０に先端全体にわたり存在していることも示している。５−Ｃでは、超音波プローブ１４０に超音波プローブ破損防止装置１００が取り付いた状態を示している。手動ノブ１３３が押されてない状態では、保護体１１０が、超音波プローブ１４０の先端を覆い隠す位置にあるが、手動ノブ１３３が押された状態では、ディスク５１３が回転して、保護体１１０が超音波プローブ１４０の先端が露出する位置にある。手動ノブ１３３を離せば、元に復帰する。
【産業上の利用可能性】
【００２４】
以上のように本考案にかかる超音波プローブ破損防止装置は、超音波プローブから手指が離れた状態では、超音波プローブの先端を覆い保護するため、超音波プローブの落下損傷防止をするので、産業上利用して極めて好都合である。
【００２５】
１００  超音波プローブ破損防止装置
１１０  保護体
１２０  筐体
１３０  保護体移動手段
１３１  スライド枠
１３１Ａ  横方向スライド枠
１３１Ｂ  縦方向スライド枠
１３２  スライド棒
１３２Ａ  横方向スライド棒
１３２Ｂ  縦方向スライド棒
１３３  手動ノブ
１３４  手動移動量変換手段
１３４Ａ  断面変移溝
１３４Ｂ  異径先端
１３５  ノブ復元手段
１３６、１３６Ａ、１３６Ｂ  スライド棒復元手段
１４０  超音波プローブ
３１０  滑車Ａ
３２０、３２０Ａ、３２０Ｂ  ラック
３３０  ピニオン
３４０  ワイヤ
３５０  クランク
３６０  固定基板
４１０  接続片
４２０  伸縮体
４３０  滑車Ｂ
５１１  ピストン
５１２  クランク
５１３  ディスク